(57)【特許請求の範囲】
【請求項１】
洗浄槽を開閉する複数の扉のうち、扉ロック機構を設けた下扉に、扉前面となる表面部分を形成した前側ベース部材と、扉後面となる表面部分を形成した後側ベース部材とを合せて内部空間を設けた食器洗い機において、前記前側ベース部材が金属板からなり、後側ベース部材が樹脂からなり、前記後側ベース部材の裏面にリブ構造を形成し、前記前側ベース部材を前記リブ構造に被さるように合わせ、上記前側ベース部材の一端部を、前記後側ベース部材の裏面側から表面部分にまで折り重なるように設け、上記後側ベース部材と上記洗浄槽との閉じ合い隙間への浸水を防ぐ扉パッキンを、前記前側ベース部材の一端部に添え当てられるように設け、前記前側ベース部材の一端部と当該一端部に添え当てた前記扉パッキンとを、パッキン押さえ部材で後側ベース部材に共止めしたことを特徴とする食器洗い機。
【請求項２】
上記後側ベース部材の表面部分に形成した凹部と上記扉パッキンに形成した凸部とを嵌合可能とし、前記凸部を上記パッキン押さえ部材により前記凹部内で押し広げられるように設け、前記凸部と前記凹部の嵌合により前記後側ベース部材と上記前側ベース部材の一端部との重なり隙間を遮蔽したことを特徴とする請求項１に記載の食器洗い機。
【発明の詳細な説明】
【技術分野】
【０００１】
この発明は、洗浄槽を開閉する複数の扉を備えた食器洗い機に関する。
【背景技術】
【０００２】
従来から、上記の扉構造としては、扉前面となる表面部分を形成した前側ベース部材と、扉後面となる表面部分を形成した後側ベース部材とを合せて内部空間を設けたものがある。この内部空間が他の扉構成部材の設置空間として利用され、各ベース部材が取付けベースとして利用されている。
【０００３】
一般に、前側ベース部材と後側ベース部材は、それぞれ一体樹脂成形品とされている。このように一体樹脂成形品とするのは、扉や取付けベースとしての十分な強度が得られるためである。上記他の扉構成部材としては、化粧板などの外装部材、扉ロック機構の各部材、扉と洗浄槽との閉じ合い隙間を防漏する扉パッキンなどが適宜に取り付けられる。
【０００４】
例えば、上記扉パッキンは、後側ベース部材の裏面側に嵌め込み、これを後側ベース部材に固定したパッキン押さえ金具で押さえ付けるようにしている。パッキン押さえ金具の固定部は、扉を組立て状態で扉内に隠される（特許文献１参照）。
【０００５】
【特許文献１】特開２００４−８９３２３号公報（図２）
【発明の開示】
【発明が解決しようとする課題】
【０００６】
しかしながら、前掲の特許文献１のような扉では、上記前側ベース部材と上記後側ベース部材とが、他の扉構成部材と比して大型に設けられるので、それぞれを成形するのに比較的大きな金型を２つ要し、製造コストが高いものであった。
【０００７】
そこで、この発明の課題は、洗浄槽を開閉する複数の扉を備えた食器洗い機において、扉前面となる表面部分を形成した前側ベース部材と、扉後面となる表面部分を形成した後側ベース部材とを合せて内部空間を設けた下扉を採用する際に、樹脂製ベース部材の数を削減することにある。
【課題を解決するための手段】
【０００８】
上記課題を解決するこの発明は、洗浄槽を開閉する複数の扉のうち、扉ロック機構を設けた下扉に、扉前面となる表面部分を形成した前側ベース部材と、扉後面となる表面部分を形成した後側ベース部材とを合せて内部空間を設けた食器洗い機において、前記前側ベース部材が金属板からなり、後側ベース部材が樹脂からなり、前記後側ベース部材の裏面にリブ構造を形成し、前記前側ベース部材を前記リブ構造に被さるように合わせたものである。
【０００９】
具体的には、前記前側ベース部材が金属板からなり、後側ベース部材が樹脂からなる構成により、樹脂製ベース部材を１つに削減した。
【００１０】
上記後側ベース部材の表面部分は扉後面となるため、ここには洗浄槽内に噴射された洗浄水が掛かる。一般に、洗浄水は上水に適宜の洗剤を溶かして温水化されるので、後側ベース部材を金属板から構成することは、耐腐食性の点で好ましくない。この構成では、後側ベース部材の方を樹脂製としたことで腐食問題を回避した。
【００１１】
そして、前記後側ベース部材の裏面にリブ構造を形成し、前記前側ベース部材を前記リブ構造に被さるように合わせた構成により、扉に求められる強度を確保すると共に、金属板をリブ構造で受けてその変形が防止することができ、また、リブ構造の採用により樹脂ベースと金属板との間に適宜の内部空間を設けられるようにした。この内部空間には、扉ロック機構の構成部材を収めることができる。これにより、樹脂製ベース部材を１つに削減しても、従来と遜色のない扉を得ることができる。
【００１２】
上記後側ベース部材の表面部分には洗浄水が噴き掛かるため、上記他の扉構成部材としては、後側ベース部材と上記洗浄槽との閉じ合い隙間への浸水を防ぐ扉パッキンを採用することができる。
【００１３】
上記の扉パッキンを取り付ける場合には、上記前側ベース部材の一端部を、前記後側ベース部材の裏面側から表面部分にまで重なるように設け、上記扉パッキンを、前記前側ベース部材の一端部に添え当てられるように設け、前記前側ベース部材の一端部と前記扉パッキンとを、パッキン押さえ部材で共止めした構成を採用することが好ましい。
【００１４】
この構成によれば、パッキン押さえ部材が扉後面に露出するため、上記従来例のように扉を分解することを要せず、扉パッキンを容易に交換することができる。
また、扉パッキンと前側ベース部材の一端部とをパッキン押さえ部材で共止めすることにより、前側ベース部材と後側ベース部材とを合せるのに要する取付け部材を削減することができる。
さらに、上記前側ベース部材の一端部を、前記後側ベース部材の表面部分にまで折り重なるように設けたので、パッキン押さえ部材を外した状態でも前側ベース部材がずれ動き難くなり、扉パッキンとの共止め作業を容易に行うことができる。
【００１５】
ここで、上記後側ベース部材の表面部分に形成した凹部と上記扉パッキンに形成した凸部とを嵌合可能とし、前記凸部を上記パッキン押さえ部材により前記凹部内で押し広げられるように設け、前記凸部と前記凹部の嵌合により上記後側ベース部材と上記前側ベース部材の一端部との重なり隙間を遮蔽した構成を採用することができる。
【００１６】
この構成によれば、上記重なり隙間が扉パッキンにより遮蔽されるので、上記重なり隙間に洗浄水が直接掛からず、さらに、前記凹部と前記凸部の嵌合部分に達した洗浄水は、両部の密接によりこの部分を抜けることはない。これにより、洗浄水が上記重なり隙間から扉内に浸水することを確実に防止することができる。また、扉パッキンとの添え当て時に凸凹嵌合により位置決めが容易になる。
【発明の効果】
【００１７】
以上に述べたように、この発明は、前記前側ベース部材が金属板からなり、後側ベース部材が樹脂からなり、前記後側ベース部材の裏面にリブ構造を形成し、前記前側ベース部材を前記リブ構造に被さるように合わせた構成により、扉前面となる表面部分を形成した前側ベース部材と、扉後面となる表面部分を形成した後側ベース部材とを合せて内部空間を設けた下扉を採用する際に、樹脂製ベース部材の数を削減することができる。
【発明を実施するための最良の形態】
【００１８】
以下、この発明の一実施形態を添付図面に基づいて説明する。
図５に示すように、この実施形態に係る食器洗い機は、洗浄槽１０に食器かご２１、２２が上下２段に設置されるようになっており、スイッチ操作で設定された運転内容に従って、洗浄槽１０内に洗浄水を噴射し、洗浄槽１０の底に落下した洗浄水を吸引して再度噴射する循環洗浄工程を行い、その後に洗浄水を排水するようになっている。
【００１９】
洗浄槽１０は、全体として略直方体状に設けられており、その出し入れ口を開閉する複数の扉１１、１２は、上下扉となっている。
【００２０】
上記複数の扉１１、１２のうち、下扉１２は、手前側に引き下げて回動されると開き、これと逆モーションで閉じるようになっている。上扉１１は、リンク機構１３を介して下扉１２の上記開閉操作力を受けることにより開閉される。したがって、下扉１２には、上扉１１の開閉負荷が加わるため、これに耐え得る強度が与えられている。
【００２１】
下扉１２は、図１〜図３に示すように、扉前面となる表面部分を形成した前側ベース部材３０と、扉後面となる表面部分を形成した後側ベース部材４０とを合せて内部空間を設けたものである。
【００２２】
前側ベース部材３０は金属板からなり、後側ベース部材４０は樹脂からなる。
【００２３】
後側ベース部材４０の表面部分としては、洗浄槽１０の内壁前面になる主部４１と、この主部４１の上端辺に連設され、上扉１１の下端部との閉じ合い部分になる上端部４２と、主部４１と凸リブ４３で仕切られ、洗浄槽１０の左右壁との閉じ合い部分になる左右の側端部４４とが形成されている。主部４１には、左右の側端部４４間に亘ってその下辺に沿うように凹部４５が形成されている。
【００２４】
後側ベース部材４０の裏面側には、上端部４２の裏側と、左右の側端部４４の裏側と、扉ロック機構５０の各部材などを設置する領域を除いて格子状のリブ構造４６が形成されている。後側ベース部材４０の裏面側には、リブ構造４６の空白領域があり、扉ロック機構５０の設置部が適宜に形成されている。前側ベース部材３０の表面部分は、その裏側がリブ構造４６に被さるようになっている。
【００２５】
前側ベース部材３０の上端辺には、後側ベース部材４０の上端部４２に重なるねじ止め片３１が設けられている。前側ベース部材３０の左右辺には、後側ベース部材４０の左右の側端部４４に重なる側端片３２が設けられている。前側ベース部材３０の下端辺には、後側ベース部材４０の裏面側から表面部分の凹部４５の手前まで折り重なるように下端部３３が連設されている。なお、前側ベース部材３０には、扉ロック機構５０の操作部材が嵌る開口が形成されている。
【００２６】
前側ベース部材３０の下端部３３は、後側ベース部材４０の裏面側に扉ロック機構の構成部材などが所定の配置・取付けとされた後、後側ベース部材４０の下辺側から嵌め込まれる。この状態で、ねじ止め片３１を後側ベース部材４０の上端部４２に裏面側からねじ止めされると、前側ベース部材３０と後側ベース部材４０の被せ合わせにより、扉ロック機構５０の構成部材の収まった内部空間が形成される。
【００２７】
上記ねじ止めの後には、後側ベース部材４０と洗浄槽１０との閉じ合い隙間への浸水を防ぐ扉パッキン６０が取り付けられる。この実施形態では、後側ベース部材４０の上端部４２は上扉１１と、また左右の側端部４４は洗浄槽１０の左右壁と閉じ合うインロー構造になっており、洗浄水が浸水することは実用上十分に防止される。したがって、主部４１と洗浄槽１０の閉じ合い隙間への浸水を防げば十分である。
【００２８】
扉パッキン６０は、後側ベース部材４０の凹部４５に嵌合する凸部６１と、この凸部６１の下辺に連設され、前側ベース部材３０の下端部３３に添え当てられる押さえ部６２と、この押さえ部６２の下辺に連設され、下扉１２が閉じた状態で主部４１と上記洗浄槽１０との閉じ合い隙間を遮蔽する垂れ部６３（図４参照）とを有する。
【００２９】
押さえ部６２、前側ベース部材３０の下端部３３、後側ベース部材４０の主部４１には、所要のねじ孔が開口してあり、凸部６１が凹部４５に嵌合し、押さえ部６２が下端部３３に添え当てられた状態で、パッキン押さえ部材７０と後側ベース部材４０とがねじ締結される。このねじ締結により、下端部３３と扉パッキン６０とは、パッキン押さえ部材７０で押し付けられ、後側ベース部材４０に共止めされる。これと同時に、前側ベース部材３０と後側ベース部材４０の閉じ合わせが完了し、扉本体が形成される。
【００３０】
上記の共止め状態では、前側ベース部材３０の下端部３３と後側ベース部材４０の主部４１との重なり隙間が、凸部６１と凹部４５の嵌合部分により遮蔽され、扉パッキン６０で覆われる。このため、主部４１に掛かった洗浄水が、重なり隙間から浸水することはなく、万一浸水した場合でも、下端部３３は、主部４１の左右幅よりも狭いため、溜まることなく重なり隙間から左右に排水される。
【００３１】
また、扉パッキン６０の交換は、これを本来下扉１２の後面になる後側ベース部材４０の主部４１に取り付け、パッキン押さえ部材７０を着脱可能に設けたため、扉本体を分解することなく容易に行うことができる。
【００３２】
さらに、この実施形態では、凸部６１が扉パッキン６０の裏面に突出し、かつ表面側に凹溝を呈する構造となっており、パッキン押さえ部材７０が凸部６１の表面側に押し込むアングル状となっている。これにより、凸部６１が、パッキン押さえ部材７０により凹部４５内で押し広げられた状態に保たれる。その結果、洗浄水が上記重なり隙間から扉本体内に浸水することを確実に防止することができる。
【００３３】
上記のように扉パッキン６０を取り付けた後、扉本体には、さらに他の扉構成部材が取り付けられて下扉１２とされる。
【００３４】
この実施形態では、扉本体の前面に露出する後側ベース部材４０の左右の側端部４４に、上記リンク機構を構成する下扉支持部材８０がねじ止めされる。
【００３５】
次に、扉本体の前面に露出する後側ベース部材４０の上端部４２を覆い隠すトップカバー８１が左右の側端部４４の縦ボスに上方からねじ止めされる。この後、左右の側端部４４を覆い隠すサイドカバー８２が表面側からそれぞれにねじ止めされる。なお、トップカバー８１やサイドカバー８２は、扉デザインや扉構造に応じて適宜に省略、変更することができる。
【図面の簡単な説明】
【００３６】
【図１】（ａ）実施形態に係る下扉の後面図、（ｂ）（ａ）に示した下扉の前側ベース部材を一部切り欠いて示した前面図
【図２】図１の下扉の要部分解斜視図
【図３（ａ）】図１（ａ）のＡ−Ａ線の拡大断面図
【図３（ｂ）】図１（ｂ）のＢ−Ｂ線の拡大断面図
【図３（ｃ）】図１（ｂ）のＣ−Ｃ線の拡大断面図
【図３（ｄ）】図１（ａ）のＤ−Ｄ線の拡大断面図
【図３（ｅ）】図３（ａ）の扉パッキンの部分拡大断面図
【図４】図１の下扉が閉じた状態における扉パッキンの作用を示す要部拡大断面図
【図５】実施形態に係る下扉を備えた食器洗い機の全体斜視図
【符号の説明】
【００３７】
１０  洗浄槽
１１  上扉
１２  下扉
１３  リンク機構
２１、２２  食器かご
４１  主部
４２  上端部
４３  凸リブ
４４  側端部
４５  凹部
４６  リブ構造
５０  扉ロック機構
６０  扉パッキン
６１  凸部
６２  押さえ部
６３  垂れ部
７０  パッキン押さえ部材
８０  下扉支持部材
８１  トップカバー
８２  サイドカバー
【図１】
0004515379.tif 000002
【図２】
0004515379.tif 000003
【図３（ａ）】
0004515379.tif 000004
【図３（ｂ）】
0004515379.tif 000005
【図３（ｃ）】
0004515379.tif 000006
【図３（ｄ）】
0004515379.tif 000007
【図３（ｅ）】
0004515379.tif 000008
【図４】
0004515379.tif 000009
【図５】
0004515379.tif 000010